(57)【要約】 【課題】  面付け型の扉用錠前において、泥棒がドリルを用い、シリンダー錠に対して斜め方向から攻撃して来ても、容易に駆動軸を回転させ、カム送りをすることができないようにすること。【解決手段】  扉の壁面にそれぞれ固定的に添設される内外の取付け板６、７及び複数本の固着手段８を介して扉の内壁面１ｂに固定される面付け型錠ケース５と、前記外側取付け板７を介して扉の挿入孔１２に周胴部１４ａが差し込まれると共に、突出駆動軸２２が内側取付け板を介して錠ケース内に挿入されるシリンダー錠１４とを備えた扉用錠前Ｘに於いて、内側取付け板にシリンダー錠の少なくとも後部側をカバーするドリル対策用硬質プロテクター１５を固定し、該硬質プロテクターを扉の挿入孔１２に配設したこと。【選択図】  図１
2005139743.tif 000002
【特許請求の範囲】
【請求項１】
扉１の壁面にそれぞれ固定的に添設される内外の取付け板６、７及び複数本の固着手段８を介して扉の内壁面１ｂに固定される面付け型錠ケース５と、前記外側取付け板７を介して扉の挿入孔１２に周胴部１４ａが差し込まれると共に、突出駆動軸２２が前記内側取付け板６を介して錠ケース５内に挿入されるシリンダー錠１４とを備えた扉用錠前Ｘに於いて、前記内側取付け板６に前記シリンダー錠の少なくとも後部側をカバーするドリル対策用硬質プロテクター１５を固定し、該硬質プロテクター１５を扉１の挿入孔１２に配設したことを特徴とする扉用錠前。
【請求項２】
請求項１に於いて、硬質プロテクター１５は筒状に形成され、シリンダー錠１４の周胴部１４aの後部側を全体的に包むことを特徴とする扉用錠前。
【請求項３】
請求項２に於いて、硬質プロテクター１５は、取付け板６の一側壁に固定される環状壁１５aと、この環状壁１５aからシリンダー錠１４の鍔状頭部１４bに向かって延び、かつ、シリンダー錠１４を包む筒状防御壁１５bとから成ることを特徴とする扉用錠前。
【請求項４】
請求項１に於いて、前記シリンダー錠１４の周胴部１４ａの後壁に複数本の固着具３４を介してドリル対策用の硬質プロテクター３１を固定したことを特徴とする扉用錠前。
【請求項５】
請求項４に於いて、シリンダー錠１４の周胴部１４ａに形成された固着具３４用のメネジ部３６の奥にドリル対策用の硬質部材３７が嵌め込まれていることを特徴とする扉用錠前。
【請求項６】
請求項１に於いて、シリンダー錠１４は、取付け板６及び筒状硬質プロテクター１５の環状壁１５aを貫通する複数本の固着具１９．１９を介して該取付け板６に固着され、前記固着具１９．１９は、シリンダー錠１４の周胴部１４aの後壁と取付け板６の一側壁６aとの間に介在するシリンダー錠安定用スペーサー２７をそれぞれ貫通していることを特徴とする扉用錠前。
【発明の詳細な説明】
【技術分野】
【０００１】
本発明は、扉用錠前に関し、特に建物の扉の内壁面に固定的に添設される面付け型の扉用錠前に関する。
【背景技術】
【０００２】
特許文献１には、扉用錠前の一種であるハンドル錠(例えば自動販売機の扉のハンドル錠) に於いて、ハンドルの突出を阻止するロックプレートをドリル破壊から守るために、「ロックプレートの前方に位置する硬質プレートにより、該ロックプレートを保護する構成、或いはロックプレートの前方に形成した収容室内に鋼球を回動可能に挿入する構成」が記載されている。また、特許文献２には、「ハンドルケース内に収納され、かつ、該ハンドルケースの引き出しを規制するシリンダー錠と、このシリンダー錠の前面に設けられた硬質キャップと、該硬質キャップを包囲する保護リングとを備え、前記保護リングは、少なくともドリルによる穿孔操作が困難な硬質材料で形成され、かつ、後方に行くにしたがって漸次収径する錐面が形成されているハンドル錠」が開示されている。
【特許文献１】特許公開１０−１５９４０９号
【特許文献２】特許公開２００３−４９５６５号
【発明の開示】
【発明が解決しようとする課題】
【０００３】
背景技術の欄で指摘したように、従来、自動販売機の扉のハンドル錠に於いて、ロックプレートの前方に高硬度の硬質プレート、或いは鋼球が設け、ロックプレートが切削破壊される危険性を解消する試みがなされているが、建物の扉の内壁面に固定的に添設される面付け型の扉用錠前に対して、このような対策が提案されていなかった。
【０００４】
近年、泥棒が家屋に侵入する手口として、「サムターン回し」や「カム送り」が懸念されている。後者のカム送りは、例えば扉に装着された錠前のシリンダー錠をドリルで破壊し、錠箱に組み込まれた錠機構を解錠状態にするために、デッドカム(施錠片用駆動部材)を解錠方向に回転させるという手口である。シリンダー錠を破壊し、その駆動軸(テールピース)を回転させると、デッドカムが解錠方向に回転する。そこで、現在、面付け型の扉用錠前においても、ドリルによる切削破壊という不正解錠を防止することが期待或いは要望されている。
【０００５】
そこで、本発明の第１の目的は、面付け型の扉用錠前において、泥棒がドリルを用い、シリンダー錠に対して斜め方向から攻撃して来ても、容易に駆動軸(テールピース)を回転させ、カム送りをすることができないようにすることである。第２の目的は、既製のシリンダー錠を変更(改良、付加など)することなく、第１の目的を達成することができることである。第３の目的は、扉の形成された取付け孔及び取付け板を利用して第１の目的を達成することができることである。第４の目的は、加味的目的であるが、シリンダー錠に対して正面から直球的に攻撃して来ても、容易にカム送りをすることができないようにすることである。
【課題を解決するための手段】
【０００６】
本発明の扉用錠前は、扉１の壁面にそれぞれ固定的に添設される内外の取付け板６、７及び複数本の固着手段８を介して扉の内壁面１ｂに固定される面付け型錠ケース５と、前記外側取付け板７を介して扉の挿入孔１２に周胴部１４ａが差し込まれると共に、突出駆動軸２２が前記内側取付け板６を介して錠ケース５内に挿入されるシリンダー錠１４とを備えた扉用錠前Ｘに於いて、前記内側取付け板６に前記シリンダー錠の少なくとも後部側をカバーするドリル対策用硬質プロテクター１５を固定し、該硬質プロテクター１５を扉１の挿入孔１２に配設したことを特徴とする。
【０００７】
上記構成に於いて、シリンダー錠１４の周胴部１４ａの後壁に複数本の固着具３４を介してドリル対策用の第２の硬質プロテクター３１を固定したことを特徴とする。
【発明の効果】
【０００８】
（１）面付け型の扉用錠前において、泥棒がドリルを用い、シリンダー錠に対して斜め方向から攻撃して来ても、容易に駆動軸を回転させ、カム送りをすることができないようにすることができる。
（２）既製のシリンダー錠を変更(改良、付加など)することなく、或いは扉の形成された取付け孔及び取付け板を利用して第１の目的を達成することができる。
（３)従属項の効果として、シリンダー錠に対して正面から直球的に攻撃して来ても、容易にカム送りを容易にすることができない。
【発明を実施するための最良の形態】
【０００９】
以下、図１乃至図５に示す本発明を実施するための最良の形態により説明する。
【００１０】
（１）発明の実施の環境
図１は発明の実施の環境を示す概略説明図である。図１を基準にすると、１は扉、１aは扉の外壁面、１bは扉の内壁面である。したがって、２は屋外、３は屋内である。扉１には、後述する複数個の取付け孔が形成されている。Ｘは複数枚の取付け板を介して扉１の自由端部に固定的に装着された面付け型の錠前である。以下、本発明の特定要件に関係のない部分や部材の図面を省略し、基本的な構成部材にポイントを絞って説明する。
【００１１】
（２）錠ケース５と固着手段８
錠ケース５は扉１の内外の壁面に固定的に添設される取付け板６、７及び錠ケース用固着手段８を介して扉１の内壁面１bに突出状態に面付け固定される。ここでは、説明の便宜上、扉１の内壁面１bに添設される板を単に「取付け板６」と称し、一方、扉１の外壁面１aに添設される板を「化粧板７」と称する。
【００１２】
錠ケース５は弁当箱状に形成され、その内部に図示しない錠機構が組み込まれている。公知のように、扉１の内壁面１bに対して直交する錠ケース５の周側壁５aの一側からは、施錠片としてのデッドボルト９が突出している。また、前記周側壁５aと直交するサムターン用垂直装着壁５bの中央部には、サムターン摘み部１０が突出している。さらに、前記装着壁５bの四隅には、合計4個のケース貫通孔１１が形成されており、これらの貫通孔１１には、複数本(例えば4本)の錠ケース用固着手段８がそれぞれ挿通する。
【００１３】
（３）扉１とその取付け孔１２，１３
前述したように扉１の自由端部には複数個の取付け孔１２、13が形成されている。取付け孔１２、１３は大と小に区別することができる。ここでは大きい孔をシリンダー錠１４或いは筒状プロテクター１５用の挿入孔１２と称し、該挿入孔１２を基準にして上下左右に形成された複数個(例えば４個)の小さな孔をメネジ杆或いは固着手段用の貫通孔１３と称する。挿入孔１３は、図１、図２で示すように、シリンダー錠１４の胴体部のみならず、シリンダー錠１４の周胴部の一部又は全部を包む筒状硬質プロテクター１５を差し込むことができるような大きさに設定されている。一方、複数個の貫通孔１３は、前述した錠ケース５の装着壁５bの貫通孔１１等に対向し、これらの貫通孔１２には化粧板７の四隅に水平状態に突設された４本の取付け用メネジ杆並びに錠ケース用固着手段８がそれぞれ差し込まれる。
【００１４】
（４）取付け板６
取付け板６は、図２で示すように、やや薄型の長板状が採用されている。この取付け板６は、扉1の内壁面1ｂと錠ケース５の内端面との間に挟まれるように介在する。取付け板６の一側壁には、前述した筒状硬質プロテクター１５が複数本の第２固着手段を介して固定される。そこで、取付け板６にも扉１と同様に複数個の取付け孔等が形成されている。すなわち、１６は中央部に形成されたシリンダー錠１４用の中心孔で、該中心孔１６の周りには所定間隔を有して固着具用の小孔１７が形成されている。
【００１５】
小孔１７は、本実施例では、中心孔１６の同心円状に合計６個形成されているが、図３で示すように、これらの小孔１７の内、対多角線上に位置する2個の小孔１７a．１７aには、筒状硬質プロテクター１５用の2本の固着具１８．１８がそれぞれ挿入される。一方、残りの小孔１７の内、同様に他の対多角線上に位置する適宜2個の小孔１７b．１７bには、シリンダー錠１４用の2本の固着具１９．１９がそれぞれ挿入される。
【００１６】
したがって、前記2本の固着具１８．１８は、筒状硬質プロテクター１５の環状壁１５aに形成された対角線上のメネジ部２０に螺合し、一方、前記固着具１８よりも長い2本の固着具１９．１９は、シリンダー錠１４の角型周胴部１４aの後壁に形成された対角線上のメネジ部２１．２１に螺合する。
【００１７】
（５）第１硬質プロテクター１５
ドリル対策用の第１硬質プロテクター１５について説明する。第１硬質プロテクター１５は浸炭焼き入れされ、取付け板６の小孔１７と対向するメネジ部２０及び固着具用貫通小孔を有する環状壁１５aと、この環状壁１５aの外周縁部からシリンダー錠１４の鍔状頭部１４bに向かって延び、かつ、シリンダー錠１４の後端部側を全体に包む筒状防御壁１５bとから成る。
【００１８】
ドリルによる切削破壊を困難にする筒状硬質プロテクター１５は、取付け板６の一側壁６aに前述した2本の固着具１８．１８を介して固着され、かつ、扉１の挿入孔１２を介して該扉１に内装される。
【００１９】
筒状硬質プロテクター１５が扉１に内装されると、図１で示すように、本実施例では、シリンダー錠１４の角型周胴部１４aの後部側を四方八方から包む格好となる。つまり、筒状硬質プロテクター１５は、鍔状頭部１４bとは反対側のシリンダー錠１４の突出駆動軸(当業者用語「テールピース」)２２がドリルで攻撃されないようにシリンダー錠１４の少なくとも後端部１４cを保護（カバー）する。なお、前記取付け板６の四隅には、扉１の第１固着手段８用貫通孔１３と対向する4個の貫通孔２３が形成されている。
【００２０】
（６）化粧板７と錠ケース５との結合
化粧板７は取付け板６と同様に長板状に形成され、その中央部にはシリンダー錠挿通用の矩形状開口２５が形成されている。また、化粧板７の扉１の外壁面１aと対向する内面には、前述したように4本の取付け用メネジ杆２６が突設され、これらのメネジ杆２６は、図１で示すように扉１の貫通孔１３にそれぞれ嵌入し、かつ、錠ケース５のケース貫通孔１１及び取付け板６の貫通孔２３を貫通した4本の長杆状第１固着手段８とそれぞれ螺合する。
【００２１】
（７）シリンダー錠１４と錠ケース５との結合
シリンダー錠１４は取付け板６及び第2固着具１９を介して錠ケース５に間接的に固定される。前述したように、2本の固着具１９．１９は、取付け板６の対多角線上に位置する2個の小孔１７b．１７bを介してシリンダー錠１４の角型周胴部１４aの後壁に形成された対角線上のメネジ部２１．２１に螺合するが、本実施例では、これらの固着具１９．１９は、シリンダー錠１４の角型周胴部１４aの後壁と取付け板６の一側壁との間に介在するシリンダー錠安定用スペーサー(短いパイプ)２７をそれぞれ貫通する。
【００２２】
シリンダー錠１４は、固着具１９、スペーサー２等を介して錠ケース５と一体的に結合すると、その鍔状頭部１４bは化粧板７の開口２５の外側周縁部に形成された環状凹所に係合し、一方、テールピース２２は取付け板６の中心孔１６を貫通して錠ケース５内に入り込む(図１参照)。
【００２３】
（８）シリンダー錠１４とドリル対策用第２硬質プロテクター３１
ところで、本実施例では、板状の第２硬質プロテクター３１がシリンダー錠１４の角型周胴部１４aの後壁に固定的に添設されている。この第２硬質プロテクター３１は、筒状の第１硬質プロテクター１５がシリンダー錠１４に対する斜め方向からの攻撃を防御するのに対し、シリンダー錠１４に対する正面方向からの攻撃を防御する役割がある。したがって、第２硬質プロテクター３１も第１硬質プロテクター１５と同様に浸炭焼き入れが施されている。
【００２４】
図５を参照にしてシリンダー錠１４と第２硬質プロテクター３１との取付け関係を説明する。シリンダー錠１４の角型周胴部１４aは、化粧板７の矩形状開口２５に嵌め込む必要があるので、その障害にならないように、本実施例では、第２硬質プロテクター３１の大きさ及び形状は、角型周胴部１４aの後壁から食み出さないような形態にしている。
【００２５】
またシリンダー錠１４の後端部１４c及びテールピース２２を通すことができるように中心部に円形の装着孔３２が形成されている。また、前記角型周胴部１４aの後壁のメネジ部２１には固着具１９が螺合することから、一方の対角線上の角部には前述したスペーサー２７用の切欠部３３．３３が形成されている。さらに、他方の対角線上の角部には第２硬質プロテクター３１を角型周胴部１４aの後壁に添設固定するための第３固着具３４用の貫通孔３５．３５が形成されている。
【００２６】
しかして、前記第３固着具３４は、第２硬質プロテクター３１の貫通孔３５を貫通して前記後壁の対角線上の端部に形成したメネジ部３６に螺合するが、本実施例では、これらの第３固着具３４を直接的に保護するために、前記メネジ部３６の奥に浸炭焼き入れが施されたドリル対策用の球状硬質部材３７が嵌め込まれている。したがって、第２硬質プロテクター３１をシリンダー錠１４から取外そうとして硬質ドリルで第３固着具３４を攻撃しても、硬質部材３７が障害子の機能を果たす。
【実施例】
【００２７】
発明の実施の形態で示した実施例に於いて、第１硬質プロテクター１５は筒状に形成されているが、この形状は発明の本質的部分ではない。本発明の本質は、「第１硬質プロテクター１５を、内側取付け板６にシリンダー錠の少なくとも後端部１４ｃをカバーすることができるように固定し、かつ、該硬質プロテクター１５を扉１の挿入孔１２に配設すること」であるから、この本質的部分と実質的に同一である限り、第１硬質プロテクター１５の構成を適宜に設計変更しても(例えば分割型、角型、二重型などの形態に変えても)、当業者にとって、予測可能な範囲の事項である。
【産業上の利用可能性】
【００２８】
本発明は、建物の扉の錠前に利用される。
【図面の簡単な説明】
【００２９】
図１乃至図５は本発明の一実施例を示す各説明図。
【図１】発明の実施の環境を示す概略説明図。
【図２】分解斜視図。
【図３】取付け板、第１硬質プロテクター等の斜視図。
【図４】シリンダー錠、第１硬質プロテクター、取付け板等の説明図。
【図５】シリンダー錠、第２硬質プロテクター等の分解斜視図。
【符号の説明】
【００３０】
Ｘ…錠前、1…扉、２…屋外、３…屋内、５…錠ケース、６、７…取付け板、８…固着手段、１１…ケース貫通孔、１２…挿入孔、１３、２３、３５…貫通孔、１４…シリンダー錠、１４a…周胴部、１４c…後端部、１５…第１硬質プロテクター、１５a…環状壁、１５b…筒状防御壁、１６…中心孔、１７…小孔、１８…プロテクター用固着具、１９…シリンダー錠用固着具、２０、２１…メネジ部、２２…突出駆動軸(テールピース)、２５…開口、２６…メネジ杆、２７…シリンダー錠安定用スペーサー、３１…第２硬質プロテクター、３２…装着孔、３４…第３固着具、３６…メネジ部、３７…硬質部材。
【図１】
2005139743.tif 000003
【図２】
2005139743.tif 000004
【図３】
2005139743.tif 000005
【図４】
2005139743.tif 000006
【図５】
2005139743.tif 000007